(57)【要約】【課題】車両の走行中でも表示画面を注視することなく、複数のスイッチのうち目的のスイッチをブラインド操作で正確に選択操作することができるタッチパネル式車両用情報表示装置を提供すること。【解決手段】制御装置１４は、タッチパネル２の外表面を覆うカバー部材（スライド板４）に設けられたスイッチ表示用開口部５，６内に位置する部分に、スイッチ表示用開口部５，６の縁部に設定された複数のスイッチ位置触感確認部（辺部５Ｌ１，５Ｌ３および６Ｃ１〜６Ｃ４）に対応させて、複数の選択スイッチ（Ｓｗ１，Ｓｗ２およびＳｗａ〜Ｓｗｄ）を表示させるようにしている。【選択図】図７
2015005279.tif 000002
【特許請求の範囲】
【請求項１】
タッチ動作によって画面操作を行うタッチパネルと、
該タッチパネルの少なくとも一部分を覆うように設けられたカバー部材と、
前記タッチパネルに表示させる情報を表示制御する制御装置と、を備え、
前記カバー部材には、スイッチ表示用開口部が設けられ、
該スイッチ表示用開口部の縁部には、触感によって位置を確認可能なスイッチ位置触感確認部が複数備えられると共に、
前記制御装置が、前記タッチパネルの前記スイッチ表示用開口部内の部分に、スイッチ表示用開口部の縁部に沿って、少なくとも１つの前記スイッチ位置触感確認部と対応する選択スイッチを、複数表示させたことを特徴とするタッチパネル式の車両用情報表示装置。
【請求項２】
前記スイッチ表示用開口部が、多角形状のものとされると共に、
該多角形状のスイッチ表示用開口部を構成する角部又は辺部のうちの少なくとも１つが、前記各選択スイッチと対応する前記スイッチ位置触感確認部に設定されたことを特徴とする請求項１に記載のタッチパネル式の車両用情報表示装置。
【請求項３】
前記スイッチ表示用開口部が、円形状のものとされると共に、
該円形状のスイッチ表示用開口部の縁部に、前記各選択スイッチと対応する前記スイッチ位置触感確認部を構成するための突起部が設けられたことを特徴とする請求項１に記載のタッチパネル式の車両用情報表示装置。
【請求項４】
前記選択スイッチが、前記スイッチ表示用開口部内を上下又は左右に分けるように２つ表示され、
前記スイッチ位置触感確認部が、前記スイッチ表示用開口部の各選択スイッチが位置する縁部、又は、該縁部内に位置する角部、辺部、突起部、のうちの少なくともいずれかとされたことを特徴とする請求項２または請求項３に記載のタッチパネル式の車両用情報表示装置。
【請求項５】
前記選択スイッチが、前記スイッチ表示用開口部内を縦横に分けるように４つ表示され、
前記スイッチ位置触感確認部が、前記スイッチ表示用開口部の各選択スイッチが位置する縁部、又は、該縁部内に位置する角部、辺部、突起部、のうちの少なくともいずれかとされたことを特徴とする請求項２または請求項３に記載のタッチパネル式の車両用情報表示装置。
【請求項６】
前記選択スイッチが、前記スイッチ表示用開口部内を中央から外周へ向けて放射状に分けるように周方向に複数表示され、
前記スイッチ位置触感確認部が、前記スイッチ表示用開口部の各選択スイッチが位置する縁部、又は、該縁部内に位置する角部、辺部、突起部、のうちの少なくともいずれかとされたことを特徴とする請求項２または請求項３に記載のタッチパネル式の車両用情報表示装置。
【請求項７】
前記カバー部材は、前記タッチパネルの表面に沿って移動可能なスライド板であり、該スライド板の移動した位置を検出する位置検出手段が設けられると共に、
前記制御装置は、前記位置検出手段によって得られた位置検出信号に基づいて、前記表示画面に表示させる情報を表示制御することを特徴とする請求項１〜請求項６のいずれか１項に記載のタッチパネル式の車両用情報表示装置。
【請求項８】
前記スライド板は、導電部材によって形成されると共に、
前記位置検出手段は、前記タッチセンサーに接触するように前記スライド板に設けられた導電性接触部であることを特徴とする請求項７に記載のタッチパネル式の車両用情報表示装置。
【請求項９】
前記カバー部材が、前記タッチパネルの全面を覆い隠す被覆面とされると共に、
該被覆面の内側に、前記タッチパネルの一部が臨む前記スイッチ表示用開口部が設けられたことを特徴とする請求項１〜請求項６のいずれか１項に記載のタッチパネル式の車両用情報表示装置。
【発明の詳細な説明】
【技術分野】
【０００１】
この発明は、タッチ動作による画面操作（タッチ操作）が可能なタッチパネル式の車両用情報表示装置に関するものである。
【背景技術】
【０００２】
この種の車両用情報表示装置としては、例えば、特許文献１が知られている。この車両用情報表示装置では、視認用情報を表示する第１モニタと、第１モニタに表示された視認用情報を操作するための操作用情報を表示するタッチパネル式の第２モニタを備えている。
【０００３】
この車両用情報表示装置では、第２モニタに表示された多数のスイッチや操作ボタンを選択してタッチ操作することにより、選択操作されたスイッチ又はボタンに対応する視認用情報が第１モニタに表示されるようになっている。
【先行技術文献】
【特許文献】
【０００４】
【特許文献１】特開２００７−７６３８４号公報
【発明の概要】
【発明が解決しようとする課題】
【０００５】
しかしながら、このような車両用情報表示装置では、第２モニタを注視しないと、目的のスイッチやボタンを正確に操作できないため、車両の走行中の操作性が良いものではなかった。
【０００６】
そこで、この発明は、車両の走行中でも表示画面を注視することなく、複数のスイッチのうち目的のスイッチを（ブラインド操作で）正確に選択操作できるタッチパネル式の車両用情報表示装置を提供することを目的とするものである。
【課題を解決するための手段】
【０００７】
この目的を達成するため、本発明のタッチパネル式の車両用情報表示装置は、
タッチ動作によって画面操作を行うタッチパネルと、
該タッチパネルの少なくとも一部分を覆うように設けられたカバー部材と、
前記タッチパネルに表示させる情報を表示制御する制御装置と、を備え、
前記カバー部材には、スイッチ表示用開口部が設けられ、
該スイッチ表示用開口部の縁部には、触感によって位置を確認可能なスイッチ位置触感確認部が複数備えられると共に、
前記制御装置が、前記タッチパネルの前記スイッチ表示用開口部内の部分に、スイッチ表示用開口部の縁部に沿って、少なくとも１つの前記スイッチ位置触感確認部と対応する選択スイッチを、複数表示させたことを特徴とする。
【発明の効果】
【０００８】
この発明によれば、スイッチ表示用開口部の縁部に設けられたスイッチ位置触感確認部に触れることにより、車両の走行中でもタッチパネルを注視することなく、複数のスイッチのうち目的のスイッチをブラインド操作で正確に選択操作することができる。
【図面の簡単な説明】
【０００９】
【図１】この実施の形態の実施例１にかかるタッチパネル式車両用情報表示装置を示す全体斜視図である。
【図２】図１のＡ１−Ａ１線に沿う断面図である。
【図３】図１に示したスライド板の背面側の構造を示す斜視図である。
【図４】図１のスライド板を部分拡大した説明図である。
【図５】図１のタッチパネル式車両用情報表示装置の制御回路図である。
【図６】図１のスライド板の移動操作とコンテンツの表示領域を示す説明図である。
【図７】図１のスライド板に設けたスイッチ表示用開口部の拡大説明図である。
【図８】コンテンツとしてナビ画面と音楽を表示させた例を示す説明図である。
【図９】コンテンツ選択のコンテンツ表示バーを下縁部に表示させた説明図である。このうち、（ａ）は、「音楽」カテゴリー内におけるコンテンツ選択用の表示内容、（ｂ）は、コンテンツ選択用の表示内容である。
【図１０】コンテンツとして音楽を表示させたときのジャケットボタンの説明図である。そして、（ａ）〜（ｃ）は、スワイプ操作によるジャケットの表示制御の変化を示すものである。
【図１１】コンテンツとして音楽を表示させたときのジャケットボタンに表示させるジャケットリストの説明図である。そして、（ａ）（ｂ）は、ジャケットリストが上下に展開される表示制御の前後の様子を示す図である。
【図１２】コンテンツとして音楽を表示させたときのスイッチ表示部に表示させる選択用のスイッチの説明図である。そして、（ａ）は、ジャケットボタンとした場合、（ｂ）は、別のスイッチ表示とした場合を示している。
【図１３】図１２の選択用のスイッチの拡大説明図である。
【図１４】音声認識ボタンをスイッチ表示部に表示させる説明図である。そして、（ａ）は、現在位置および右左折用の選択スイッチが表示されている状態、（ｂ）は、音声認識ボタンが表示されている状態を示している。
【図１５】コンテンツとして車両情報を表示させたときの説明図である。
【図１６】図１５のスイッチ表示部に表示させたスイッチの拡大説明図である。
【図１７】コンテンツとして空調設定情報を表示させたときの説明図である。
【図１８】コンテンツとしてインターネット情報を表示させたときの説明図である。
【図１９】図１８のスイッチ表示部に表示させたスイッチの説明図である。
【図２０】この実施例１の変形例１のタッチパネル式車両用情報表示装置を示す正面図である。
【図２１】図２０のスイッチ表示部へ表示させた選択スイッチの説明図である。
【図２２】この実施例１の変形例２のタッチパネル式車両用情報表示装置を示す正面図である。
【図２３】この実施の形態の実施例２にかかるタッチパネル式車両用情報表示装置を備えたインストルメントパネルを示す全体斜視図である。
【図２４】図２３の部分拡大正面図である。
【図２５】図２３のカバー部材を開いた状態の部分拡大斜視図である。
【発明を実施するための形態】
【００１０】
以下、本発明のタッチパネル式車両用情報表示装置に係る実施形態について、図面を参照して説明する。
【実施例１】
【００１１】
図１はこの実施の形態の実施例１にかかるタッチパネル式車両用情報表示装置の全体斜視図、図２は図１のＡ１−Ａ１線に沿う断面図である。図３は、図１に示したスライド板の背面側の構造を示す斜視図、図４は図１のスライド板を部分拡大した説明図である。
【００１２】
図１に示したタッチパネル式車両用情報表示装置は、車両の車室内前部における運転席周辺部分やインストルメントパネル等に設置される。タッチパネル式車両用情報表示装置は、車両に対し、固定状態で設置しても良いし（内蔵型）、着脱可能に設置しても良い（ポータブル型）。このタッチパネル式車両用情報表示装置は、外表面部分に枠状の縁部を形成するように開口１ａが設けられたケース本体１（表示装置本体）と、開口１ａ内に臨む（外部から開口１ａの内側に見える）ように設けられたタッチパネル２とを有する。このタッチパネル２は、ケース本体１に保持される。そして、タッチパネル２は、図２の断面図に示すように、情報表示用の液晶パネルや有機ＥＬパネルなどの表示画面２ａと、この表示画面２ａの外表面に設けられてタッチ動作により画面操作（タッチ操作）を行うパネル状のタッチセンサー３（タッチセンサーパネル）と、を有するものとされる。この場合、タッチパネル式車両用情報表示装置は、上下方向に長くなるように配置されているが（縦配置）、左右方向に長くなるように配置しても良い（横配置）。
【００１３】
また、図１に示すように、タッチパネル式車両用情報表示装置は、その外表面側に、タッチパネル２の少なくとも一部を覆うカバー部材を備えている。この場合、カバー部材は、タッチパネル２の表面に沿って上下（左右でも良い。以下、上下として説明する）に移動可能なスライド板４とされている。このスライド板４は、アルミニウム等の導電部材から形成されている。このスライド板４は、タッチパネル２の外表面に沿って、タッチパネル２の対向する２辺（例えば、左右の辺）間を結ぶように延びる表面板部４ａと、表面板部４ａの両側に連設された側板部４ｂ，４ｃと、を有するＣ字形状のものとされている（図２の断面図、図３の斜視図参照）。
【００１４】
このスライド板４は、ケース本体１に対して取り付けられている。本実施例では、図２に示すように、ケース本体1の側部に長辺方向（短辺方向でも良い。以下、長辺方向として説明する）に延びるガイド溝１ｂ，１ｃが形成されると共に、スライド板４の側板部４ｂ，４ｃの内側面に係合爪４ｂ１，４ｃ１が設けられている。そして、この係合爪４ｂ１，４ｃ１をガイド溝１ｂ，１ｃに係合させることにより、スライド板４の表面板部４ａがタッチパネル２の（タッチセンサー３）の外表面に沿って移動可能に支持されている。なお、例えば、側板部４ｂ，４ｃにケース本体１の裏面に沿って案内される案内板部を設けて、スライド板４がケース本体１の裏面や側面にガイドされて動くようにしても良い。
【００１５】
そして、図１（または図４）に示すように、この表面板部４ａの左右の部分などには、タッチパネル２に臨む（外部からタッチパネル２の一部を覗ける）ように２つのスイッチ表示用開口部５，６が形成される。この場合、２つのスイッチ表示用開口部５，６は、スライド板４によって仕切られたタッチパネル２の（上下）２つの表示領域にそれぞれ対応するものとされる。また、表面板部４ａの中央部にはダイヤル保持用の開口７が形成されている。この場合、スイッチ表示用開口部５，６は、多角形状（例えば、四角形状、特に、正方形状など）のものとされ、開口７は、円形とされている。そして、左側のスイッチ表示用開口部５では、その辺部５Ｌ１〜５Ｌ４が触感によって位置を確認可能なスイッチ位置触感確認部として主に用いられるようになっている。また、右側のスイッチ表示用開口部６では、その角部６Ｃ１〜６Ｃ４がスイッチ位置触感確認部として主に用いられるようになっている。なお、左側のスイッチ表示用開口部５の角部や、右側のスイッチ表示用開口部６の辺部をスイッチ位置触感確認部として用いるようにしても良い。更に、スイッチ表示用開口部５，６の縁部を構成する辺部（例えば、辺部５Ｌ１〜５Ｌ４）や角部（例えば、角部６Ｃ１〜６Ｃ４）をスイッチ位置触感確認部として好適に用いることができるようにするために、スイッチ表示用開口部５，６の縁部には、縁部を指で触った時に、指が自然にタッチパネル２にも触れるようにするための所要角度のテーパ部やアール部などの接触促進形状部が形成される。
【００１６】
更に、上記したスライド板４の両側部には、スイッチ表示用開口部５の縁部から側板部４ｂまで延びる操作用突部８、及び、スイッチ表示用開口部６の縁部から側板部４ｃまで延びる操作用突部９がそれぞれ形成されている。なお、図８以降の図では、図示の便宜上、操作用突部８，９等の図示は省略してスライド板４を示している。
【００１７】
そして、スライド板４を構成する表面板部４ａの裏面側の左右の部分には、図２に示すように、位置検出手段としてタッチセンサー３に接触する位置検出部１０，１１（接触部）が設けられている（図３参照）。この位置検出部１０，１１は、半球状の導電ゴムから形成されていて、タッチセンサー３に常時点接触するようになっている。
【００１８】
この位置検出部１０，１１は、スライド板４を上下などにスライド操作することにより、タッチセンサー３に接触しながら上下などに移動して、タッチパネル２に対するスライド板４の上下方向の位置などを検出するのに用いられる。
【００１９】
また、スライド板４の中央部に形成された円形の開口７にはリング状（環状）のダイヤル１２が回転操作可能に取り付けられている。このダイヤル１２は、裏面側にタッチセンサー３に臨む（タッチセンサー３に接触するように延びる）フランジ部（リング板部）１２ａを有している。このフランジ部１２ａには、図３に示すように、位置検出手段として複数の位置検出部（接触部）１２ｂ１〜１２ｂ３が設けられている。この位置検出部１２ｂ１は、図２に示すようにタッチセンサー３に接触させられている。また、図示は省略したが、位置検出部１２ｂ２，１２ｂ３も位置検出部１２ｂ１と同様にタッチセンサー３に接触させられる。この位置検出部１２ｂ１〜１２ｂ３も半球状の導電ゴムから形成されていて、タッチセンサー３に常時点接触するようになっている。
【００２０】
しかも、図３に示すように、３つの位置検出部１２ｂ１〜１２ｂ３のうち、位置検出部１２ｂ１，１２ｂ２間、および、位置検出部１２ｂ１，１２ｂ３間が、同じ配置角度αに設定され、位置検出部１２ｂ２，１２ｂ３間の配置角度βが位置検出部１２ｂ１，１２ｂ２間の配置角度αおよび位置検出部１２ｂ１，１２ｂ３間の配置角度αよりも小さく設定されている。これにより、ダイヤル１２の位置検出部１２ｂ１の回転位置が検出可能となっている。
【００２１】
上記した表示画面２ａは、図２に示すように、ケース本体１内に固定された回路基板１３の表面側に配設されている。この回路基板１３には、図５に示すような制御装置１４が設けられている。この制御装置１４には、記憶部（メモリ）１５が接続されていると共に、表示画面２ａ，タッチセンサー３や、車両のオーディオ機器１６，空調装置１７，インターネット用の送受信部１８などの車載機器に対して信号が入出力されるようになっている。また、制御装置１４は、タッチセンサー３からの信号に基いて車両のオーディオ機器１６，空調装置１７，インターネット用の送受信部１８などの車載機器へ制御信号を出力し、これらを操作できるようになっている。なお、インターネット用の送受信部１８は、ケース本体１内（の回路基板１３など）に設けることもできる。また、制御装置１４には、車両用情報通信網であるＣＡＮシステム１９を介して車両情報が入力されるようになっている。この車両情報としては、例えば、ＧＰＳアンテナからの位置情報、速度計からの車速信号、エンジン回転計からの回転信号、空調装置１７各部からの信号などがある。
【００２２】
制御装置１４は、例えば、タッチセンサー３からの位置検出部１０，１１の位置を示す位置検出信号に基づいて、図６に示すように、タッチパネル２を上下に分けるスライド板４の上側の表示領域に第１のコンテンツ（コンテンツＡ）を表示させ、また、タッチパネル２のスライド板４よりも下側の表示領域に第２のコンテンツ（コンテンツＢ）を表示制御させることができるようになっている。
【００２３】
この際、スライド板４を上下に移動操作して、タッチパネル２に対する位置検出部１０，１１の接触位置を変えることで、タッチセンサー３は、位置検出部１０，１１の移動後の接触位置を制御装置１４に出力する。そして、制御装置１４は、この接触位置の信号（接触信号）から、タッチパネル２に対するスライド板４の位置を求めて、コンテンツＡ，Ｂの表示領域の大きさをスライド板４の位置に合わせて変更する。
【００２４】
また、コンテンツＡ，Ｂの種類としては、例えば、「ナビ」、「音楽」、「車両情報」、「空調設定」、「インターネットブラウザ」などがある。しかし、コンテンツの種類はこれに限定されるものではない。
【００２５】
なお、上側のコンテンツＡとしては、通常は図８に示すように、ＧＰＳ等から得られた情報に基づくカーナビ用の地図（マップ画面またはナビ画面）が表示制御されるようになっている。このナビ画面の下縁部の左右の部分には、スライド板４の上縁に近接させて、目的地設定に用いる「Ｓｅａｒｃｈ」ボタンＳｂと、ナビの詳細設定をするための「Ｍｅｎｕ」ボタンＭｂが表示制御されようになっている。この「Ｓｅａｒｃｈ」ボタンＳｂと「Ｍｅｎｕ」ボタンＭｂは、スライド板４の上下方向への移動に対して、スライド板４との位置関係が変わらないように移動表示されるようになっている。
【００２６】
また、ナビ画面の上縁部中央には右左折地点までの距離及び右左折方向矢印などの簡易経路誘導表示画面Ｄ１が表示され、ナビ画面の上縁部の左部分には地図を縮小表示させる「−」ボタン（縮小ボタン）が表示され、ナビ画面の上縁部の右部分には地図を拡大表示させる「＋」ボタン（拡大ボタン）が表示されようになっている。また、２本の指を閉じたり開いたりする、いわゆるピンチイン・ピンチアウトの操作によって拡大・縮小表示ができるようにしても良い。このナビ画面では、画面をタッチして上下左右にスライド操作することにより、地図を上下左右にスクロール操作することができる。
【００２７】
更に、制御装置１４は、タッチパネル２の下縁部に、タッチパネル２に表示させるコンテンツＡ，Ｂを選択するなどのための、コンテンツ選択用のコンテンツ表示バー２０を表示させている。
【００２８】
本実施例では、このコンテンツ表示バー２０のうちの（一番右側の）メニューボタン２１をタッチ操作すると、制御装置１４は、コンテンツ表示バー２０の表示を、例えば、図９（ａ）の「音楽」カテゴリー内におけるコンテンツ選択用の表示内容から、図９（ｂ）のコンテンツ選択用の表示内容に切り替えるようになっている。
【００２９】
この図９（ｂ）では、コンテンツ表示バー２０に「ナビ」ボタン２２、「音楽」ボタン２３、「車両情報」ボタン２４、「空調設定」ボタン２５、「インターネットブラウザ」ボタン２６などのコンテンツ選択用の表示内容が左から順に表示させられている。なお、図８、図９（ａ）は、図９（ｂ）の「音楽」ボタンをタッチ操作することにより、コンテンツ表示バー２０に表示される「音楽」カテゴリー内のコンテンツ（内部コンテンツ）の内容である。
【００３０】
また、本実施例では、制御装置１４は、図７に示すように、タッチパネル２における、スライド板４の左側のスイッチ表示用開口部５内の部分にスイッチ表示部５Ｓ（又はスイッチボタン表示画面）を設定すると共に、このスイッチ表示部５Ｓを上下（左右でも良い。以下、上下として説明する）に分けることにより、２つ（複数）の選択スイッチＳｗ１，Ｓｗ２を表示できるようになっている。そして、上側の選択スイッチＳｗ１に、上記したスイッチ位置触感確認部のうちの、上側の辺部５Ｌ１が主に対応され、下側の選択スイッチＳｗ２に、スイッチ位置触感確認部のうちの下側の辺部５Ｌ３が主に対応されることになる。即ち、スイッチ表示用開口部５の上下に対向する辺部５Ｌ１および辺部５Ｌ３が、上下の選択スイッチＳｗ１，Ｓｗ２のそれぞれに一対一に対応される。
【００３１】
なお、上側の選択スイッチＳｗ１には、上記の他に、スイッチ表示用開口部５の上側の２つの角部や左右の辺部５Ｌ２，５Ｌ４の上側の部分も補助的に対応されることになる。また、下側の選択スイッチＳｗ２には、上記の他に、スイッチ表示用開口部５の下側の２つの角部や左右の辺部５Ｌ２，５Ｌ４の下側の部分も補助的に対応されることになる。
【００３２】
そして、図８に示すように、例えば、上側のコンテンツＡとしてナビ画面が表示制御されているとき、選択スイッチＳｗ１は現在位置表示用の選択スイッチとして表示制御され、選択スイッチＳｗ２は右左折地点表示用のスイッチとして表示制御されようになっている。
【００３３】
（「音楽」用のジャケットボタンの表示）
本実施例では、制御装置１４は、図７に示すように、タッチパネル２における、スライド板４の右側のスイッチ表示用開口部６内の部分にスイッチ表示部６Ｓ（又はスイッチボタン表示画面）を設定すると共に、このスイッチ表示部６Ｓを縦横などに分けることにより、複数の選択スイッチＳｗａ〜Ｓｗｄを表示制御できるようになっている。そして、各選択スイッチＳｗａ〜Ｓｗｄは、それぞれ、スイッチ位置触感確認部のうちの４つ（複数）の角部６Ｃ１〜６Ｃ４にそれぞれ一対一に対応させられることになる。
【００３４】
なお、制御装置１４は、スイッチ表示部６Ｓをタッチ操作やスワイプ操作することによって、スイッチ表示部６Ｓの表示を選択スイッチＳｗａ〜Ｓｗｄ以外のものに変更することができるようになっている。以下に、このスイッチ表示部６Ｓおよびコンテンツ表示バー２０の表示例を、「音楽」カテゴリー内のものとした場合で説明する。
【００３５】
制御装置１４は、図９（ｂ）の「音楽」ボタン２３の操作により下側のコンテンツＢとして「音楽」カテゴリーが選択されている場合、図８に示すようにコンテンツ表示バー２０に「音楽」カテゴリーのメニュースイッチを表示させる（図９（ａ）、図１０、図１１参照）。図８において、「音楽」カテゴリーのメニュースイッチは、お気に入りのリストを表示させるスイッチ２３ａ、アーティスト別リストを表示させるスイッチ２３ｂ、アルバム別リストを表示させるスイッチ２３ｃ、曲一覧表示用のスイッチ２３ｄが表示されている。
【００３６】
一方、制御装置１４は、図８に示すように、「音楽」の楽曲のジャケット等が表示されるジャケットボタン「Ｓｏｎｇ  Ｂ」をスイッチ表示部６Ｓに表示制御させる（図９（ａ）、図１０、図１１参照）。このスイッチ表示部６Ｓのジャケットボタン「Ｓｏｎｇ  Ｂ」をタッチ操作やスワイプ操作をすることで、ジャケットボタン「Ｓｏｎｇ  Ｂ」に表示される楽曲のジャケットが選択されるようになっている。
【００３７】
例えば、スイッチ表示部６Ｓのジャケットボタン「Ｓｏｎｇ  Ｂ」をタッチ操作すると、図１１（ｂ）に示すように、タッチパネル２にはジャケットボタン「Ｓｏｎｇ  Ｂ」を挟むように楽曲のジャケットリストが上下に展開されるように表示制御される。
【００３８】
この状態で、ジャケットボタン「Ｓｏｎｇ  Ｂ」を図１０（ａ）の下向きの矢印で示した方向（又は逆方向）にスワイプ操作することにより、スイッチ表示部６Ｓには図１０（ｂ）から図１０（ｃ）に示すように次の曲（又は前の曲）のジャケットが表示制御される。
【００３９】
また、ジャケットボタン「Ｓｏｎｇ  Ｂ」を数秒長押し（例えば、２秒長押し）することで、図１２（ａ）のスイッチ表示部６Ｓに表示させたジャケットボタン「Ｓｏｎｇ  Ｂ」を図１２（ｂ）のような別のスイッチ表示に切換表示させることができる。この際、スイッチ表示部６Ｓのスイッチ表示にはコンテンツ表示バー２０に表示された「音楽」のカテゴリメニューのスイッチと同じものが表示される。このカテゴリメニューには、お気に入りのリストを表示させるスイッチ２３ａ、アーティスト別リストを表示させるスイッチ２３ｂ、アルバムリスト用のスイッチ２３ｃ、曲一覧用のスイッチ２３ｄが表示される。
【００４０】
このスイッチ２３ａ〜２３ｄは、図１３に示すように、スイッチ表示部６Ｓを縦横に４等分した状態で表示される。これにより、スイッチ２３ａ〜２３ｄは、それぞれ、スイッチ位置触感確認部のうち複数の角部６Ｃ１，６Ｃ２，６Ｃ４，６Ｃ３とそれぞれ一対一に対応させられる。従って、スイッチ２３ａ〜２３ｄは、角部６Ｃ１，６Ｃ２，６Ｃ４，６Ｃ３の部分を触るように操作することで、スイッチ２３ａ〜２３ｄを注視することなく確実且つ容易に選択操作することができる。
【００４１】
また、制御装置１４は、下側のコンテンツＢとして「音楽」が選択されている場合、タッチパネル２におけるスライド板４中央のダイヤル１２内の表示画像１２Ｓとしてボリューム（音量）を表示をさせる。このボリューム表示では、円弧状のボリュームバーと数値とによって音量を表示させる。
【００４２】
そして、このボリュームバーの長さとボリュームの数値は、ダイヤル１２を回転操作することで、増減変更できるようになっている。即ち、制御装置１４は、ダイヤル１２が回転操作されて、位置検出部１２ｂ１の回転位置の信号がタッチセンサー３から入力されると、この回転位置の検出信号からダイヤル１２の回転位置を求めて、この回転位置に応じた音量となるようにボリュームバーの長さとボリュームの数値を増減変更する。
【００４３】
（ナビボタン表示）
また、図１４（ａ）のようにナビボタン表示用のスイッチ表示部５Ｓに現在位置および右左折用の選択スイッチＳｗ１，Ｓｗ２が表示されている状態で、このスイッチ表示部５Ｓを数秒長押し（例えば、２秒長押し）すると、図１４（ｂ）のようにスイッチ表示部５Ｓにはマイクの表示がされた音声認識ボタンが表示制御される。この状態では、音声による目的地検索などが可能になる。
【００４４】
（車両情報表示）
また、制御装置１４は、コンテンツ表示バー２０の「車両情報」ボタン２４（図９（ｂ）参照）が操作されると、図１５に示すようにタッチパネル２の下側にコンテンツＢとして車両情報を表示させる。
【００４５】
この際、右側のスイッチ表示部６Ｓには、車両に関する設定を行うスイッチ２４ａ、走行モードの設定を行うスイッチ２４ｂ、タイヤの空気圧などの情報表示を行うスイッチ２４ｃ、走行した距離や燃費情報等の走行情報を表示させるスイッチ２４ｄが表示される。このスイッチ２４ａ〜２４ｄは、スイッチ表示部６Ｓを縦横に４分割した状態で表示されて、図１６に示すように、それぞれ、スイッチ位置触感確認部のうちの複数の角部６Ｃ１，６Ｃ２，６Ｃ４，６Ｃ３にそれぞれ一対一に対応させられる。
【００４６】
従って、スイッチ２４ａ〜２４ｄは、角部６Ｃ１，６Ｃ２，６Ｃ３，６Ｃ４の部分を触るように操作することで、スイッチ２４ａ〜２４ｄを注視することなく確実且つ容易に選択操作することができる。
【００４７】
（空調設定表示）
また、制御装置１４は、コンテンツ表示バー２０の「空調設定」ボタン２５（図９（ｂ）参照）が操作されると、図１７に示すようにタッチパネル２の下側のコンテンツＢとして空調設定情報を表示させる。
【００４８】
（インターネット表示）
また、制御装置１４は、コンテンツ表示バー２０の「インターネットブラウザ」ボタン２６（図９（ｂ）参照）が操作されると、図１８に示すようにタッチパネル２の下側のコンテンツＢとして車両走行で通常利用される公共設備情報等を表示させるようになっている。このインターネットで検索できるインターネット情報としては、例えばグルメ「レストランやその他食事処」、観光情報、宿泊情報、その他の情報等がある。そして、この内のいずれかを予めホームページとして表示させるように設定してある。
【００４９】
一方、この表示状態において右側のスイッチ表示部６Ｓには、ホームページ表示用のスイッチ２６ａ、検索用のスイッチ２６ｂ、「戻る」，「進む」等の操作を行わせるスイッチ２６ｃ，２６ｄが縦横に分割表示されている。スイッチ２６ａ〜２６ｄは、図１９に示すように、それぞれ、スイッチ位置触感確認部としての複数の角部６Ｃ１，６Ｃ２，６Ｃ４，６Ｃ３にそれぞれ一対一に対応させられる。
【００５０】
従って、スイッチ２６ａ〜２６ｄは、角部６Ｃ１，６Ｃ２，６Ｃ４，６Ｃ３の部分を触るように操作することで、スイッチ２６ａ〜２６ｄを注視することなく確実且つ容易に選択操作することができる。なお、検索用のスイッチ２６ｂは、例えば「グルメ」、「観光」、「宿泊」、「レビュー」等のキーワードによる検索を選択するのに用いられる。そして、スイッチ２６ｂがタッチ操作される毎に、コンテンツＢとして表示される内容が「グルメ」、「観光」、「宿泊」、「レビュー」に順番に切り替わるようになっている。図１８では、下側のコンテンツＢとしてグルメ情報が選択表示されていて、「戻る」，「進む」のスイッチ２６ｃ，２６ｄを操作することで、コンテンツＢのグルメ情報がページ単位で切り替え表示される。
【００５１】
（その他）
スライド板４をタッチパネル２に沿って移動操作した場合に、スイッチ表示部５Ｓ，６Ｓやダイヤル１２内に表示されている表示内容の位置がスイッチ表示用開口部５，６の位置からズレないように、タッチパネル２への表示制御が行われる。この表示制御は、位置検出部１０，１１によりタッチセンサー３から出力される位置検出信号に基づいて、制御装置１４が実行する。そして、このようなスライド板４の移動操作によってコンテンツＡ，Ｂの表示領域が変更されるので、上側のコンテンツＡとしてのナビ画面（マップ画面）を広く表示したい場合にはスライド板４を下方へ移動操作すれば良いし、下側のコンテンツＢの表示内容を多くしたい場合にはスライド板４を上方へ移動操作すれば良い。
【００５２】
（変形例１）
以上説明した実施例では、スイッチ表示用開口部５，６およびスイッチ表示部５Ｓ，６Ｓを正方形状（多角形状）に形成した例を示したが、必ずしもこれに限定されるものではない。例えば、スイッチ表示用開口部５，６およびスイッチ表示部５Ｓ，６Ｓは、図２０に示すように六角形状（や八角形状などの多角形状）などとしても良い。この場合には、スイッチ位置触感確認部として、スイッチ表示用開口部５，６の角部５Ｃ１〜５Ｃ６，６Ｃ１〜６Ｃ６を使用することができる。そして、図２１に示すように、スイッチ表示部５Ｓには６つの選択スイッチＳｗ１〜Ｓｗ６を各角部５Ｃ１〜５Ｃ６に対応させて放射状に表示させ、スイッチ表示部６Ｓには６つの選択スイッチＳｗａ〜Ｓｗｆを各角部６Ｃ１〜６Ｃ６に対応させて放射状に表示させることができる。
【００５３】
この場合も、角部５Ｃ１〜５Ｃ６に触れることで選択スイッチＳｗ１〜Ｓｗ６を注視することなく確実且つ容易に選択操作し、また、角部６Ｃ１〜６Ｃ６に触れることで選択スイッチＳｗａ〜Ｓｗｆを注視することなく確実且つ容易に選択操作することができる。
【００５４】
なお、多角形状をしたスイッチ表示用開口部５，６の各角部に替えて、各辺部を、スイッチ位置触感確認部として使用しても良いことは勿論である。
【００５５】
（変形例２）
また、スイッチ表示用開口部５，６およびスイッチ表示部５Ｓ，６Ｓは、図２２に示すような円形（長円形や楕円形なども含む）として、スイッチ表示用開口部５，６の縁部を、例えば、後述の実施例２に記載したように、スイッチ位置触感確認部としても良い。
【実施例２】
【００５６】
図２３〜図２５は、この実施の形態の実施例２を示すものである（主に、図２５参照）。
【００５７】
この実施例では、インストルメントパネル４１の車幅方向中央部（における、例えば、乗員側へ向いた面）などに、タッチパネル２を備えたスマートフォンやタブレット端末などの多機能携帯端末４２（ポータブルデバイス）を収容保持可能な携帯端末収納装置４３を設けるようにしている。この携帯端末収納装置４３は、例えば、インストルメントパネル４１や、インストルメントパネル４１に設けられた空調装置１７およびオーディオ機器１６などの車載機器を操作するための操作パネル部４４などに形成された収容凹部４５と、この収容凹部４５に対して開閉可能に設けられたリッド部４６（蓋部）と、を有するものとされる。リッド部４６は、例えば、下辺部分に設けられた図示しないヒンジ部を中心に、上側が車両前後方向へ回動することによって開閉可能なものとされる。このリッド部４６は、閉じた時に、インストルメントパネル４１または操作パネル部４４の表面に対して面一となるように設けられている。携帯端末収納装置４３には、リッド部４６を閉じた状態に保持するための図示しないロック部が設けられる。
【００５８】
この場合、リッド部４６は、多機能携帯端末４２をその裏面側に収容保持可能なホルダー部とされる。ホルダー部とするために、リッド部４６の裏面側には、例えば、上方から差し込んだ多機能携帯端末４２を収容保持するためのポケット状またはガイド状をした端末保持部が一体的に設けられる。多機能携帯端末４２と端末保持部との間には、様々な大きさを有する多機能携帯端末４２を端末保持部に適合させるための図示しないアタッチメントを介在させることができる。また、携帯端末収納装置４３に収容保持された多機能携帯端末４２と車両との間は、有線または無線によって接続することができる。但し、携帯端末収納装置４３の構成は、これに限るものではない。
【００５９】
そして、携帯端末収納装置４３のリッド部４６は、上記カバー部材として、タッチパネル２の全面を覆い隠すことができる被覆面とされる。
この場合、被覆面とされたカバー部材は、例えば、不透明な樹脂板によって構成される。
【００６０】
そして、この被覆面の内側に、前記タッチパネル２の一部が臨む（外部から覗くことができる）ように、上記したスイッチ表示用開口部５０が設けられる。
この場合、スイッチ表示用開口部５０は、被覆面（リッド部４６）の幅方向中央部で、上下方向中央部よりも若干上側の位置に設けられている。
【００６１】
この場合、スイッチ表示用開口部５０は、円形状のものとされる。
そして、図２４に示すように、この円形状のスイッチ表示用開口部５０の縁部に、各選択スイッチと対応するスイッチ位置触感確認部を構成するための突起部５０Ｐ１〜５０Ｐ４が設けられる。
【００６２】
この場合、例えば、突起部５０Ｐ１〜５０Ｐ４は、スイッチ表示用開口部５０の縁部に対し、上下左右の４箇所に設けられている。これにより、上下左右の突起部５０Ｐ１〜５０Ｐ４が円形状のスイッチ表示用開口部５０の縁部を複数に仕切って、突起部５０Ｐ１〜５０Ｐ４間にスイッチ位置触感確認部としての円弧状部５０Ｒ１〜５０Ｒ４が形成される。この円弧状部５０Ｒ１〜５０Ｒ４は、指で触った時に、指が自然にタッチパネル２に触れるような所要角度のテーパ部やアール部を有するものとしても良い。そして、（制御装置１４は、）スイッチ位置触感確認部の各円弧状部５０Ｒ１〜５０Ｒ４に対応させて、スイッチ表示用開口部５０内に縦横４箇所の選択スイッチ５１〜５４を表示させる。この場合、選択スイッチ５１〜５４は、「ＭＡＰ」「Ｍｕｓｉｃ」「ＴＥＬ」「ＮＥＴ」の操作を行うものとされている。但し、選択スイッチ５１〜５４は、上記に限るものではなく、例えば、携帯端末収納装置４３に多機能携帯端末４２を装着することで立ち上がる、車両のイグニッションキースイッチなどとしても良い。
【００６３】
なお、図２２の円形のスイッチ表示用開口部５，６についても、その縁部に上記と同様の突起部５０Ｐ１〜５０Ｐ４を複数（２個以上）設けて、突起部５０Ｐ１〜５０Ｐ４の間に複数の円弧状部５０Ｒ１〜５０Ｒ４を形成することができる。また、この実施例２のスイッチ表示用開口部５０は、実施例１のような多角形状のものとしても良い。
【００６４】
以下、この実施例の作用について説明する。
【００６５】
車両に乗り込んだ乗員は、インストルメントパネル４１の車幅方向中央部（の操作パネル部４４）などに設けられた携帯端末収納装置４３に対して、タッチパネル２を備えたスマートフォンやタブレット端末などの多機能携帯端末４２（ポータブルデバイス）を収容保持させることができる。この場合、操作パネル部４４のリッド部４６（蓋部）を開き、リッド部４６の裏面側に設けられたホルダー部に対して多機能携帯端末４２を上方から差し込んで収容保持させ、リッド部４６を閉じることによって、多機能携帯端末４２が携帯端末収納装置４３に収納される。
【００６６】
このように、携帯端末収納装置４３に収納された状態では、多機能携帯端末４２は、被覆面とされたリッド部４６（カバー部材）によって、スイッチ表示用開口部５０の部分を除いて、ほぼ全体が外部から見えないように隠される。
【００６７】
この際、多機能携帯端末４２に対し、予めその車両に応じた専用のアプリケーションをインストールしておき、そのアプリケーションを立ち上げた状態にしてから、多機能携帯端末４２を携帯端末収納装置４３に収納させるようにすれば、多機能携帯端末４２の機能によって多機能携帯端末４２が車両と接続され、スイッチ表示用開口部５０の部分に、複数の選択スイッチ５１〜５４を表示させて、車両や車載機器を操作できるようにすることが可能となる。
【００６８】
また、カバー部材（リッド部４６）の内側（ホルダー部）に多機能携帯端末４２を収容することにより、多機能携帯端末４２を車両に納まり良く安定して収容保管することができて安心感が高い。
【００６９】
[実施の形態の作用・効果]
この実施の形態の各実施例に記載したタッチパネル式車両用情報表示装置をまとめると、以下のようになる。
【００７０】
（１）タッチ動作により画面操作を行うタッチセンサー３が表示画面２ａの外表面に設けられたタッチパネル２と、タッチパネル２の外表面の少なくとも一部分を覆うように設けられたカバー部材（スライド板４又はリッド部４６）と、タッチパネル２の（表示画面２ａ）に表示させる情報を制御する制御装置１４と、を備えている。
また、スイッチ表示用開口部５，６，５０の縁部には、触感によって位置を確認可能なスイッチ位置触感確認部（辺部５Ｌ１〜５Ｌ４，角部５Ｃ１〜５Ｃ６，６Ｃ１〜６Ｃ６，円弧状部５０Ｒ１〜５０Ｒ４）が複数備えられている。
そして、制御装置１４が、表示画面２ａのスイッチ表示用開口部５，６，５０内の部分に、スイッチ表示用開口部５，６，５０の縁部に沿って、少なくとも１つのスイッチ位置触感確認部（辺部５Ｌ１〜５Ｌ４，角部５Ｃ１〜５Ｃ６，６Ｃ１〜６Ｃ６，円弧状部５０Ｒ１〜５０Ｒ４）と対応する選択スイッチ（Ｓｗ１〜Ｓｗ６，Ｓｗａ〜Ｓｗｆ，５１〜５４）を、複数表示させるようにしている。
【００７１】
この構成によれば、スイッチ表示用開口部５，６，５０の縁部に配置された複数のスイッチ位置触感確認部（辺部５Ｌ１〜５Ｌ４，角部５Ｃ１〜５Ｃ６，６Ｃ１〜６Ｃ６，円弧状部５０Ｒ１〜５０Ｒ４）のうちの１つに触れることによって、対応する選択スイッチ（Ｓｗ１〜Ｓｗ６，Ｓｗａ〜Ｓｗｆ，５１〜５４）を選択操作することができるので、車両の走行中でも表示画面２ａや選択スイッチ（Ｓｗ１〜Ｓｗ６，Ｓｗａ〜Ｓｗｆ，５１〜５４）を注視することなく、複数の選択スイッチ（Ｓｗ１〜Ｓｗ６，Ｓｗａ〜Ｓｗｆ，５１〜５４）のうちの目的のものをブラインド操作によって確実に選択操作することができる。
【００７２】
即ち、タッチパネル２に対してスイッチ表示用開口部５，６，５０の内部を細かく分けるように表示された複数の選択スイッチ（Ｓｗ１〜Ｓｗ６，Ｓｗａ〜Ｓｗｆ，５１〜５４）は、表示が小さく、しかも、平面的であるため、そのままだと注視しながら操作しなければならないと共に、注視しながらであっても正確に操作するのが難しく、誤操作が発生し易いものである。
【００７３】
しかし、複数の選択スイッチ（Ｓｗ１〜Ｓｗ６，Ｓｗａ〜Ｓｗｆ，５１〜５４）を、スイッチ表示用開口部５，６，５０の縁部に配置されたスイッチ位置触感確認部（辺部５Ｌ１〜５Ｌ４，角部５Ｃ１〜５Ｃ６，６Ｃ１〜６Ｃ６，円弧状部５０Ｒ１〜５０Ｒ４）と対応付けることにより、スイッチ位置触感確認部（辺部５Ｌ１〜５Ｌ４，角部５Ｃ１〜５Ｃ６，６Ｃ１〜６Ｃ６，円弧状部５０Ｒ１〜５０Ｒ４）は、立体的であり、しかも、相互間の間隔がスイッチ表示用開口部５，６，５０の中心部よりも広いものとなるので、スイッチ位置触感確認部（辺部５Ｌ１〜５Ｌ４，角部５Ｃ１〜５Ｃ６，６Ｃ１〜６Ｃ６，円弧状部５０Ｒ１〜５０Ｒ４）を意識してタッチするだけで特に注視しなくても正確に複数の選択スイッチ（Ｓｗ１〜Ｓｗ６，Ｓｗａ〜Ｓｗｆ，５１〜５４）を操作することが可能となり、操作が容易で誤操作も少なくなる。しかも、スイッチ表示用開口部５，６，５０の縁部に設けたスイッチ位置触感確認部（辺部５Ｌ１〜５Ｌ４，角部５Ｃ１〜５Ｃ６，６Ｃ１〜６Ｃ６，円弧状部５０Ｒ１〜５０Ｒ４）は、指先が実際に引っ掛かるものなので、確実な操作感を得ることができる。
【００７４】
（２）また、この発明の実施の形態のタッチパネル式車両用情報表示装置では、スイッチ表示用開口部５，６が多角形状のものとされた。そして、多角形状のスイッチ表示用開口部５，６を構成する角部（５Ｃ１〜５Ｃ６，６Ｃ１〜６Ｃ６）又は辺部（５Ｌ１〜５Ｌ４）のうちの少なくとも１つが、各選択スイッチ（Ｓｗ１〜Ｓｗ６，Ｓｗａ〜Ｓｗｆ）と対応するスイッチ位置触感確認部に設定された。
【００７５】
この構成によれば、スイッチ表示用開口部５，６を多角形状とすることにより、スイッチ表示用開口部５，６の角部（５Ｃ１〜５Ｃ６，６Ｃ１〜６Ｃ６）や辺部（５Ｌ１〜５Ｌ４）をスイッチ位置触感確認部としてそのまま利用することが可能となって便宜が良い。また、スイッチ表示用開口部５，６の形状（多角形状）に合わせて、多数のスイッチ位置触感確認部および選択スイッチ（Ｓｗ１〜Ｓｗ６，Ｓｗａ〜Ｓｗｆ）を無理なく設定することが可能となる。
【００７６】
（３）また、この発明の実施の形態のタッチパネル式車両用情報表示装置では、スイッチ表示用開口部５０が円形状のものとされた。そして、円形状のスイッチ表示用開口部５０の縁部に、各選択スイッチ５１〜５４と対応するスイッチ位置触感確認部を構成するための突起部５０Ｐ１〜５０Ｐ４を設けた。
【００７７】
この構成によれば、スイッチ表示用開口部５０を円形状とすることにより、スイッチ表示用開口部５０の縁部に沿って突起部５０Ｐ１〜５０Ｐ４を設けることで、各選択スイッチ５１〜５４と対応するスイッチ位置触感確認部（円弧状部５０Ｒ１〜５０Ｒ４）を任意且つ容易に設定することができる。よって、円形状のスイッチ表示用開口部５０を任意に分割して、多数のスイッチ位置触感確認部（円弧状部５０Ｒ１〜５０Ｒ４）および選択スイッチ５１〜５４を設定することが可能となる。
【００７８】
（４）この発明の実施の形態のタッチパネル式車両用情報表示装置では、選択スイッチＳｗ１，Ｓｗ２が、スイッチ表示用開口部５内を上下又は左右に分けるように２つ表示された。
【００７９】
この構成によれば、スイッチ表示用開口部５内に、ブラインド操作を可能にするスイッチ位置触感確認部（例えば、辺部５Ｌ１，５Ｌ３）をそれぞれ備えた２つの選択スイッチＳｗ１，Ｓｗ２を、上下、又は、左右に明確に設けることができる。よって、２つの選択スイッチＳｗ１，Ｓｗ２を、確実且つ容易に選択操作できるものとすることができる。なお、スイッチ表示用開口部５は円形状であっても多角形状であっても良いことは勿論である。
【００８０】
（５）この発明の実施の形態のタッチパネル式車両用情報表示装置では、選択スイッチ（Ｓｗａ〜Ｓｗｄ，５１〜５４）が、スイッチ表示用開口部６，５０内を縦横に分けるように４つ表示された。
【００８１】
この構成によれば、スイッチ表示用開口部６，５０内に、ブラインド操作を可能にするスイッチ位置触感確認部（例えば、角部６Ｃ１〜６Ｃ４、円弧状部５０Ｒ１〜５０Ｒ４）をそれぞれ備えた４つの選択スイッチ（Ｓｗａ〜Ｓｗｄ，５１〜５４）を、整然と設けることができる。よって、４つの選択スイッチ（Ｓｗａ〜Ｓｗｄ，５１〜５４）を、確実且つ容易に選択操作できるものとすることができる。なお、スイッチ表示用開口部６，５０は円形状であっても多角形状であっても良いことは勿論である。
【００８２】
（６）また、この発明の実施の形態のタッチパネル式車両用情報表示装置では、選択スイッチ（例えば、Ｓｗ１〜Ｓｗ６，Ｓｗａ〜Ｓｗｆ）が、スイッチ表示用開口部５，６内を中央から外周へ向けて放射状に分けるように周方向に複数表示された。
【００８３】
この構成によれば、スイッチ表示用開口部５，６内に、ブラインド操作を可能にするスイッチ位置触感確認部（例えば、角部（５Ｃ１〜５Ｃ６，６Ｃ１〜６Ｃ６）又は辺部（５Ｌ１〜５Ｌ４））をそれぞれ備えた多数の選択スイッチ（Ｓｗ１〜Ｓｗ６，Ｓｗａ〜Ｓｗｆ）を、周方向に整然と振り分けて設けることができる。
【００８４】
（７）この発明の実施の形態のタッチパネル式車両用情報表示装置では、カバー部材がタッチパネル２の表面に沿って移動可能なスライド板４とされた。そして、スライド板４のスライドした位置を検出する位置検出手段（位置検出部１０，１１）を設けた。更に、制御装置１４は、位置検出手段（位置検出部１０，１１）によって得られた位置検出信号に基づいて、タッチパネル２（の表示画面２ａ）に表示させる情報を表示制御させるようになっている。
【００８５】
この構成によれば、カバー部材としてのスライド板４をタッチパネル２の表面に沿って移動させた場合に、タッチパネル２（の表示画面２ａ）のスライド板４で分けられた各表示領域に表示させる表示内容（コンテンツＡ，Ｂ）の大きさを、スライド板４のスライド位置に応じて変更することができる。
【００８６】
（８）また、この発明の実施の形態のタッチパネル式車両用情報表示装置では、スライド板４が導電部材によって形成された。そして、位置検出手段（位置検出部１０，１１）が、タッチパネル２のタッチセンサー３に接触するようにスライド板４に設けられた導電性接触部とされた。
【００８７】
この構成によれば、導電性接触部である位置検出手段（位置検出部１０，１１）がタッチセンサー３に接触することによって、スライド板４の移動位置を正確に検出することができる。この際、位置検出手段（位置検出部１０，１１）を複数設けることにより、複数の位置検出手段（位置検出部１０，１１）をスライド板４を介して同電位にできるので、スライド板４の移動位置を正確に検出することができる。
【００８８】
（９）また、この発明の実施の形態のタッチパネル式車両用情報表示装置では、カバー部材は、タッチパネル２の全面を覆い隠す被覆面（リッド部４６）とされた。そして、被覆面（リッド部４６）の内側に、タッチパネル２の一部が臨む（外部から覗くことのできる）スイッチ表示用開口部５０が設けられた。
【００８９】
この構成によれば、被覆面（リッド部４６）とされたカバー部材によってタッチパネル２の全面が覆い隠されるので、例えば、タッチパネル２を備えた多機能携帯端末４２（ポータブルデバイス）を外部から見えない状態で納まり良く保持し、または、保管することができる。しかも、スイッチ表示用開口部５０に臨む（外部から覗かれる）タッチパネル２の一部を複数の選択スイッチ５１〜５４を表示させるためのサブモニタとして使用することができるので、保管している多機能携帯端末４２（ポータブルデバイス）を、車両や車載機器の操作に利用することができる。
【符号の説明】
【００９０】
１  ケース本体（表示装置本体）
２  タッチパネル
２ａ  表示画面
３  タッチセンサー
４  スライド板（カバー部材）
５  スイッチ表示用開口部
５Ｃ１〜５Ｃ６  角部（スイッチ位置触感確認部）
５Ｌ１〜５Ｌ４  辺部（スイッチ位置触感確認部）
５Ｓ  スイッチ表示部
６  スイッチ表示用開口部
６Ｃ１〜６Ｃ６  角部（スイッチ位置触感確認部）
６Ｓ  スイッチ表示部
１０  位置検出部（位置検出手段、接触部）
１１  位置検出部（位置検出手段、接触部）
１４  制御装置
２３  「音楽」ボタン
２３ａ  お気に入り（選択）スイッチ
２３ｂ  アーティスト別リストを表示させる（選択）スイッチ
２３ｃ  アルバムリスト用の（選択）スイッチ
２３ｄ  曲一覧用の（選択）スイッチ
２４  「車両情報」ボタン
２４ａ  （選択）スイッチ
２４ｂ  （選択）スイッチ
２４ｃ  （選択）スイッチ
２４ｄ  （選択）スイッチ
２６  「インターネットブラウザ」ボタン
２６ａ  （選択）スイッチ
２６ｂ  （選択）スイッチ
２６ｃ  （選択）スイッチ
２６ｄ  （選択）スイッチ
４２    多機能携帯端末
４３    携帯端末収納装置
４４    操作パネル部
４５    収容凹部
４６    リッド部
５０    スイッチ表示用開口部
５０Ｐ１〜５０Ｐ４  突起部
５０Ｒ１〜５０Ｒ４  円弧状部
５１〜５４  選択スイッチ
Ａ  コンテンツ
Ｂ  コンテンツ
Ｓｗａ〜Ｓｗｆ  （選択）スイッチ
Ｓｗ１〜Ｓｗ６  （選択）スイッチ
【図１】
2015005279.tif 000003
【図２】
2015005279.tif 000004
【図３】
2015005279.tif 000005
【図４】
2015005279.tif 000006
【図５】
2015005279.tif 000007
【図６】
2015005279.tif 000008
【図７】
2015005279.tif 000009
【図８】
2015005279.tif 000010
【図９】
2015005279.tif 000011
【図１０】
2015005279.tif 000012
【図１１】
2015005279.tif 000013
【図１２】
2015005279.tif 000014
【図１３】
2015005279.tif 000015
【図１４】
2015005279.tif 000016
【図１５】
2015005279.tif 000017
【図１６】
2015005279.tif 000018
【図１７】
2015005279.tif 000019
【図１８】
2015005279.tif 000020
【図１９】
2015005279.tif 000021
【図２０】
2015005279.tif 000022
【図２１】
2015005279.tif 000023
【図２２】
2015005279.tif 000024
【図２３】
2015005279.tif 000025
【図２４】
2015005279.tif 000026
【図２５】
2015005279.tif 000027